【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
登録者の端末と通信ネットワークを介して接続したサーバであって、
登録者の識別情報を含む当該登録者の個人情報と当該登録者と他の登録者との人間関係の連鎖の程度を表す関係度数とを登録者ごとに記憶している記憶手段と、
第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信する手段と、
上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新する手段と、
第一の端末から第一の登録者の識別情報を含む検索キーワードを受信し、第一の登録者と人間関係の連鎖している登録者（以下、「第三の登録者」という）の個人情報を上記記憶手段から検索し、検索した第三の登録者の個人情報を第一の端末に送信する手段と、
を有してなることを特徴とする人脈関係登録サーバ。
【請求項２】
検索キーワードには関係度数が含まれ、
第三の登録者を「第一の登録者と人間関係の連鎖している登録者」に代えて「第一の登録者との人間関係の連鎖の程度が検索キーワードに含まれる関係度数と一致する登録者」とした請求項１記載の人脈関係登録サーバ。
【請求項３】
検索キーワードには関係度数が含まれ、
第三の登録者を「第一の登録者と人間関係の連鎖している登録者」に代えて「第一の登録者との人間関係の連鎖の程度が検索キーワードに含まれる関係度数以上の登録者」とした請求項１記載の人脈関係登録サーバ。
【請求項４】
第一の登録者と第三の登録者との関係度数を記憶手段から検索し、検索した関係度数を第一の端末に送信する手段をさらに備えた請求項１または３に記載の人脈関係登録サーバ。
【請求項５】
登録者の個人情報には当該登録者の専門分野が含まれ、
検索キーワードには専門分野が含まれ、
第三の登録者を「第一の登録者と人間関係の連鎖している登録者」に代えて「第一の登録者と人間関係の連鎖している登録者のうち専門分野が検索キーワードに含まれる専門分野と一致する登録者」とした請求項１記載の人脈関係登録サーバ。
【請求項６】
検索キーワードには関係度数が含まれ、
第三の登録者を「第一の登録者と人間関係の連鎖している登録者のうち専門分野が検索キーワードに含まれる専門分野と一致する登録者」に代えて「第一の登録者との人間関係の連鎖の程度が検索キーワードに含まれる関係度数と一致する登録者のうち専門分野が検索キーワードに含まれる専門分野と一致する登録者」とした請求項５記載の人脈関係登録サーバ。
【請求項７】
第三の登録者を「第一の登録者との人間関係の連鎖の程度が検索キーワードに含まれる関係度数と一致する登録者のうち専門分野が検索キーワードに含まれる専門分野と一致する登録者」に代えて「第一の登録者との人間関係の連鎖の程度が検索キーワードに含まれる関係度数以上の登録者のうち専門分野が検索キーワードに含まれる専門分野と一致する登録者」とした請求項６記載の人脈関係登録サーバ。
【請求項８】
関係度数は数値であって、登録者同士の人間関係の連鎖が間接的になるに従って小さい値とした請求項１乃至７のいずれかに記載の人脈関係登録サーバ。
【請求項９】
コンピュータを請求項１乃至８のいずれかに記載の人脈関係登録サーバとして機能させることを特徴とする人脈関係登録プログラム。
【請求項１０】
登録者の端末と通信ネットワークを介して接続し、登録者の識別情報を含む当該登録者の個人情報と当該登録者と他の登録者との人間関係の連鎖の程度を表す関係度数とを登録者ごとに記憶している記憶手段を備えたサーバにより実行される方法であって、
上記サーバが、第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信するステップと、
上記サーバが、上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新するステップと、
上記サーバが、第一の端末から第一の登録者の識別情報を含む検索キーワードを受信し、第一の登録者と人間関係の連鎖している登録者（以下、「第三の登録者」という）の個人情報を上記記憶手段から検索し、検索した第三の登録者の個人情報を第一の端末に送信するステップと、
を有してなることを特徴とする人脈関係登録方法。
【請求項１１】
登録者の端末と通信ネットワークを介して接続したサーバであって、
登録者の識別情報を含む当該登録者の個人情報と当該登録者と他の登録者との人間関係の連鎖の程度を表す関係度数とを登録者ごとに記憶している記憶手段と、
第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信する手段と、
上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新する手段と、
第二の端末から第二の登録者の識別情報を含む検索キーワードを受信し、第二の登録者と人間関係の連鎖している登録者（以下、「第三の登録者」という）の個人情報を上記記憶手段から検索し、検索した第三の登録者の個人情報を第二の端末に送信する手段と、
を有してなることを特徴とする人脈関係登録サーバ。
【請求項１２】
検索キーワードには関係度数が含まれ、
第三の登録者を「第二の登録者と人間関係の連鎖している登録者」に代えて「第二の登録者との人間関係の連鎖の程度が検索キーワードに含まれる関係度数と一致する登録者」とした請求項１１記載の人脈関係登録サーバ。
【請求項１３】
検索キーワードには関係度数が含まれ、
第三の登録者を「第二の登録者と人間関係の連鎖している登録者」に代えて「第二の登録者との人間関係の連鎖の程度が検索キーワードに含まれる関係度数以上の登録者」とした請求項１１記載の人脈関係登録サーバ。
【請求項１４】
第二の登録者と第三の登録者との関係度数を記憶手段から検索し、検索した関係度数を第二の端末に送信する手段をさらに備えた請求項１１または１３に記載の人脈関係登録サーバ。
【請求項１５】
登録者の個人情報には当該登録者の専門分野が含まれ、
検索キーワードには専門分野が含まれ、
第三の登録者を「第二の登録者と人間関係の連鎖している登録者」に代えて「第二の登録者と人間関係の連鎖している登録者のうち専門分野が検索キーワードに含まれる専門分野と一致する登録者」とした請求項１１記載の人脈関係登録サーバ。
【請求項１６】
検索キーワードには関係度数が含まれ、
第三の登録者を「第二の登録者と人間関係の連鎖している登録者のうち専門分野が検索キーワードに含まれる専門分野と一致する登録者」に代えて「第二の登録者との人間関係の連鎖の程度が検索キーワードに含まれる関係度数と一致する登録者のうち専門分野が検索キーワードに含まれる専門分野と一致する登録者」とした請求項１５記載の人脈関係登録サーバ。
【請求項１７】
第三の登録者を「第二の登録者との人間関係の連鎖の程度が検索キーワードに含まれる関係度数と一致する登録者のうち専門分野が検索キーワードに含まれる専門分野と一致する登録者」に代えて「第二の登録者との人間関係の連鎖の程度が検索キーワードに含まれる関係度数以上の登録者のうち専門分野が検索キーワードに含まれる専門分野と一致する登録者」とした請求項１６記載の人脈関係登録サーバ。
【請求項１８】
関係度数は数値であって、登録者同士の人間関係の連鎖が間接的になるに従って小さい値とした請求項１１乃至１７のいずれかに記載の人脈関係登録サーバ。
【請求項１９】
コンピュータを請求項１１乃至１８のいずれかに記載の人脈関係登録サーバとして機能させることを特徴とする人脈関係登録プログラム。
【請求項２０】
登録者の端末と通信ネットワークを介して接続し、登録者の識別情報を含む当該登録者の個人情報と当該登録者と他の登録者との人間関係の連鎖の程度を表す関係度数とを登録者ごとに記憶している記憶手段を備えたサーバにより実行される方法であって、
上記サーバが、第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信するステップと、
上記サーバが、上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新するステップと、
上記サーバが、第二の端末から第二の登録者の識別情報を含む検索キーワードを受信し、第二の登録者と人間関係の連鎖している登録者（以下、「第三の登録者」という）の個人情報を上記記憶手段から検索し、検索した第三の登録者の個人情報を第二の端末に送信するステップと、
を有してなることを特徴とする人脈関係登録方法。
【請求項２１】
登録者の端末と通信ネットワークを介して接続したサーバであって、
登録者の識別情報を含む当該登録者の個人情報と当該登録者と他の登録者との人間関係の連鎖の程度を表す関係度数とを登録者ごとに記憶している記憶手段と、
第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信する手段と、
上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新する手段と、
第三の登録者の端末（以下、「第三の端末」という）から第一の登録者の識別情報を含む検索キーワードを受信し、第一の登録者と人間関係の連鎖している登録者（以下、「第四の登録者」という）の個人情報を上記記憶手段から検索し、検索した第四の登録者の個人情報を第三の端末に送信する手段と、
を有してなることを特徴とする人脈関係登録サーバ。
【請求項２２】
検索キーワードには関係度数が含まれ、
第四の登録者を「第一の登録者と人間関係の連鎖している登録者」に代えて「第一の登録者との人間関係の連鎖の程度が検索キーワードに含まれる関係度数と一致する登録者」とした請求項２１記載の人脈関係登録サーバ。
【請求項２３】
検索キーワードには関係度数が含まれ、
第四の登録者を「第一の登録者と人間関係の連鎖している登録者」に代えて「第一の登録者との人間関係の連鎖の程度が検索キーワードに含まれる関係度数以上の登録者」とした請求項２１記載の人脈関係登録サーバ。
【請求項２４】
第一の登録者と第四の登録者との関係度数を記憶手段から検索し、検索した関係度数を第三の端末に送信する手段をさらに備えた請求項２１または２３に記載の人脈関係登録サーバ。
【請求項２５】
登録者の個人情報には当該登録者の専門分野が含まれ、
検索キーワードには専門分野が含まれ、
第四の登録者を「第一の登録者と人間関係の連鎖している登録者」に代えて「第一の登録者と人間関係の連鎖している登録者のうち専門分野が検索キーワードに含まれる専門分野と一致する登録者」とした請求項２１記載の人脈関係登録サーバ。
【請求項２６】
検索キーワードには関係度数が含まれ、
第四の登録者を「第一の登録者と人間関係の連鎖している登録者のうち専門分野が検索キーワードに含まれる専門分野と一致する登録者」に代えて「第一の登録者との人間関係の連鎖の程度が検索キーワードに含まれる関係度数と一致する登録者のうち専門分野が検索キーワードに含まれる専門分野と一致する登録者」とした請求項２５記載の人脈関係登録サーバ。
【請求項２７】
第四の登録者を「第一の登録者との人間関係の連鎖の程度が検索キーワードに含まれる関係度数と一致する登録者のうち専門分野が検索キーワードに含まれる専門分野と一致する登録者」に代えて「第一の登録者との人間関係の連鎖の程度が検索キーワードに含まれる関係度数以上の登録者のうち専門分野が検索キーワードに含まれる専門分野と一致する登録者」とした請求項２６記載の人脈関係登録サーバ。
【請求項２８】
関係度数は数値であって、登録者同士の人間関係の連鎖が間接的になるに従って小さい値とした請求項２１乃至２７のいずれかに記載の人脈関係登録サーバ。
【請求項２９】
コンピュータを請求項２１乃至２８のいずれかに記載の人脈関係登録サーバとして機能させることを特徴とする人脈関係登録プログラム。
【請求項３０】
登録者の端末と通信ネットワークを介して接続し、登録者の識別情報を含む当該登録者の個人情報と当該登録者と他の登録者との人間関係の連鎖の程度を表す関係度数とを登録者ごとに記憶している記憶手段を備えたサーバにより実行される方法であって、
上記サーバが、第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信するステップと、
上記サーバが、上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新するステップと、
上記サーバが、第三の登録者の端末（以下、「第三の端末」という）から第一の登録者の識別情報を含む検索キーワードを受信し、第一の登録者と人間関係の連鎖している登録者（以下、「第四の登録者」という）の個人情報を上記記憶手段から検索し、検索した第四の登録者の個人情報を第三の端末に送信するステップと、
を有してなることを特徴とする人脈関係登録方法。
【請求項３１】
登録者の端末と通信ネットワークを介して接続したサーバであって、
登録者の識別情報を含む当該登録者の個人情報と当該登録者と他の登録者との人間関係の連鎖の程度を表す関係度数とを登録者ごとに記憶している記憶手段と、
第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信する手段と、
上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新する手段と、
第三の登録者の端末（以下、「第三の端末」という）から第二の登録者の識別情報を含む検索キーワードを受信し、第二の登録者と人間関係の連鎖している登録者（以下、「第四の登録者」という）の個人情報を上記記憶手段から検索し、検索した第四の登録者の個人情報を第三の端末に送信する手段と、
を有してなることを特徴とする人脈関係登録サーバ。
【請求項３２】
検索キーワードには関係度数が含まれ、
第四の登録者を「第二の登録者と人間関係の連鎖している登録者」に代えて「第二の登録者との人間関係の連鎖の程度が検索キーワードに含まれる関係度数と一致する登録者」とした請求項３１記載の人脈関係登録サーバ。
【請求項３３】
検索キーワードには関係度数が含まれ、
第四の登録者を「第二の登録者と人間関係の連鎖している登録者」に代えて「第二の登録者との人間関係の連鎖の程度が検索キーワードに含まれる関係度数以上の登録者」とした請求項３１記載の人脈関係登録サーバ。
【請求項３４】
第二の登録者と第四の登録者との関係度数を記憶手段から検索し、検索した関係度数を第三の端末に送信する手段をさらに備えた請求項３１または３３に記載の人脈関係登録サーバ。
【請求項３５】
登録者の個人情報には当該登録者の専門分野が含まれ、
検索キーワードには専門分野が含まれ、
第四の登録者を「第二の登録者と人間関係の連鎖している登録者」に代えて「第二の登録者と人間関係の連鎖している登録者のうち専門分野が検索キーワードに含まれる専門分野と一致する登録者」とした請求項３１記載の人脈関係登録サーバ。
【請求項３６】
検索キーワードには関係度数が含まれ、
第四の登録者を「第二の登録者と人間関係の連鎖している登録者のうち専門分野が検索キーワードに含まれる専門分野と一致する登録者」に代えて「第二の登録者との人間関係の連鎖の程度が検索キーワードに含まれる関係度数と一致する登録者のうち専門分野が検索キーワードに含まれる専門分野と一致する登録者」とした請求項３５記載の人脈関係登録サーバ。
【請求項３７】
第四の登録者を「第二の登録者との人間関係の連鎖の程度が検索キーワードに含まれる関係度数と一致する登録者のうち専門分野が検索キーワードに含まれる専門分野と一致する登録者」に代えて「第二の登録者との人間関係の連鎖の程度が検索キーワードに含まれる関係度数以上の登録者のうち専門分野が検索キーワードに含まれる専門分野と一致する登録者」とした請求項３６記載の人脈関係登録サーバ。
【請求項３８】
関係度数は数値であって、登録者同士の人間関係の連鎖が間接的になるに従って小さい値とした請求項３１乃至３７のいずれかに記載の人脈関係登録サーバ。
【請求項３９】
コンピュータを請求項３１乃至３８のいずれかに記載の人脈関係登録サーバとして機能させることを特徴とする人脈関係登録プログラム。
【請求項４０】
登録者の端末と通信ネットワークを介して接続し、登録者の識別情報を含む当該登録者の個人情報と当該登録者と他の登録者との人間関係の連鎖の程度を表す関係度数とを登録者ごとに記憶している記憶手段を備えたサーバにより実行される方法であって、
上記サーバが、第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信するステップと、
上記サーバが、上記第一のメッセージと第二のメッセージを送信したときに、上記記憶手段に記憶されている「第一の登録者」と「第二の登録者」との関係度数と、「第一の登録者」と「第二の登録者と人間関係の連鎖している登録者」との関係度数と、「第二の登録者」と「第一の登録者と人間関係の連鎖している登録者」との関係度数のそれぞれを更新するステップと、
上記サーバが、第三の登録者の端末（以下、「第三の端末」という）から第二の登録者の識別情報を含む検索キーワードを受信し、第二の登録者と人間関係の連鎖している登録者（以下、「第四の登録者」という）の個人情報を上記記憶手段から検索し、検索した第四の登録者の個人情報を第三の端末に送信するステップと、
を有してなることを特徴とする人脈関係登録方法。
【請求項４１】
コンピュータプログラムを記録したコンピュータ読取可能な記録媒体であって、
上記コンピュータプログラムは請求項９，１９，２９，３９のいずれかに記載の人脈関係登録プログラムであることを特徴とするコンピュータ読取可能な記録媒体。
【請求項４２】
登録者の端末と通信ネットワークを介して接続したサーバであって、
人間関係を結ぶことを希望している旨の第一のメッセージと人間関係を結ぶことに合意する旨の第二のメッセージとを交換した登録者同士の個人情報を記憶している記憶手段と、
第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信する手段と、
上記第二のメッセージを送信したとき、上記第一の登録者の個人情報と第二の登録者の個人情報とを関連付けて上記記憶手段に記憶する手段と、
上記第二の登録者の個人情報を含む検索キーワードを上記第一の端末から受信する手段と、
上記受信した第二の登録者の個人情報と関連付けて記憶されている第二の登録者と人間関係を結んでいる登録者（以下、「第三の登録者」という）の個人情報を上記記憶手段から検索する手段と、
上記検索された第三の登録者の個人情報を第一の端末に送信する手段と、
を有してなることを特徴とする人脈関係登録サーバ。
【請求項４３】
登録者の端末と通信ネットワークを介して接続したサーバであって、
登録者ごとに、当該登録者の個人情報と、当該登録者と人間関係を結んでいる他の登録者の個人情報とを関連付けて記憶している記憶手段と、
第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信する手段と、
上記第二のメッセージを送信したとき、上記第一の登録者の個人情報と第二の登録者の個人情報とを関連付けて上記記憶手段に記憶する手段と、
上記第二の登録者の個人情報を含む検索キーワードを上記第一の端末から受信する手段と、
上記受信した第二の登録者の個人情報と関連付けて記憶されている第二の登録者と人間関係を結んでいる登録者（以下、「第三の登録者」という）の個人情報を上記記憶手段から検索する手段と、
上記検索された第三の登録者の個人情報を第一の端末に送信する手段と、
を有してなることを特徴とする人脈関係登録サーバ。
【請求項４４】
登録者の端末と通信ネットワークを介して接続し、
登録者ごとに、当該登録者の識別情報と、当該登録者と人間関係を結んでいる他の登録者の識別情報とを関連付けて記憶している記憶手段と、
を備えたサーバであって、
第一の登録者が第二の登録者と人間関係を結ぶことを希望している旨の第一のメッセージを第一の登録者の端末（以下、「第一の端末」という）から受信して第二の登録者の端末（以下、「第二の端末」という）に送信すると共に、第二の登録者が第一の登録者と人間関係を結ぶことに合意する旨の第二のメッセージを第二の端末から受信して第一の端末に送信する手段と、
上記第二のメッセージを送信したとき、上記第一の登録者の識別情報と第二の登録者の識別情報とを関連付けて上記記憶手段に記憶する手段と、
上記第二の登録者の識別情報を含む検索キーワードを上記第一の端末から受信し、この第二の登録者の識別情報と関連付けて記憶されている第二の登録者と人間関係を結んでいる登録者（以下、「第三の登録者」という）の識別情報を上記記憶手段から検索し、検索した第三の登録者の識別情報を第一の端末に送信する検索手段と、
を有してなることを特徴とする人脈関係登録サーバ。
【請求項４５】
記憶手段には、登録者の識別情報と関連付けて当該登録者の個人情報が記憶されていて、
検索手段は、検索した第三の登録者の識別情報と関連付けて記憶されている第三の登録者の個人情報を上記記憶手段から検索し、検索した第三の登録者の個人情報を上記第一の端末に送信する、
請求項４４記載の人脈関係登録サーバ。
【請求項４６】
登録者の識別情報は、当該登録者のメールアドレスである請求項４４記載の人脈関係登録サーバ。